(57)【要約】【課題】人やロボットが近付くことが困難な原子炉格納容器内の熱源位置を推定する。【解決手段】原子炉圧力容器を格納する原子炉格納容器内の複数の位置にそれぞれ配置されて温度測定を行う温度測定部がそれぞれ出力する温度情報に基づいて、温度平均値を算出する温度情報算出部と、温度情報算出部が算出する温度平均値と、温度情報と、複数の温度測定部が配置された位置をそれぞれ示す位置情報とに基づいて、原子炉圧力容器を支持するペデスタルの内部空間に存在する熱源の位置を推定する熱源位置推定部を備える。【選択図】図３
2017129550.tif 000002
【特許請求の範囲】
【請求項１】
原子炉圧力容器を格納する原子炉格納容器内の複数の位置にそれぞれ配置されて温度測定を行う温度測定部がそれぞれ出力する温度情報に基づいて、温度平均値を算出する温度情報算出部と、
前記温度情報算出部が算出する前記温度平均値と、前記温度情報と、複数の前記温度測定部が配置された位置をそれぞれ示す位置情報とに基づいて、前記原子炉圧力容器を支持するペデスタルの内部空間に存在する熱源の位置を推定する熱源位置推定部と
を備える原子炉格納容器内熱源位置推定装置。
【請求項２】
前記原子炉圧力容器内部には、冷却水を供給することにより、前記原子炉圧力容器内部を冷却する冷却水供給部が備えられ、
前記温度情報には、前記冷却水供給部による冷却水の供給前に前記温度測定部が測定する給水前温度情報と、前記冷却水供給部による冷却水の供給後に前記温度測定部が測定する給水後温度情報とが含まれ、
前記熱源位置推定部は、
前記温度平均値と、前記給水前温度情報及び前記給水後温度情報と、前記位置情報とに基づいて、前記ペデスタルの内部空間に存在する熱源の位置を推定する
請求項１に記載の原子炉格納容器内熱源位置推定装置。
【請求項３】
前記温度情報算出部は、
前記給水前温度情報に基づいて、給水前温度平均値を前記温度平均値として算出し、前記給水後温度情報に基づいて、給水後温度平均値を前記温度平均値として算出し、
前記熱源位置推定部は、
前記給水前温度平均値及び前記給水前温度情報と、前記給水後温度平均値及び前記給水後温度情報と、前記位置情報とに基づいて、前記ペデスタルの内部空間に存在する熱源の位置を推定する
請求項２に記載の原子炉格納容器内熱源位置推定装置。
【請求項４】
前記冷却水供給部には、冷却水を供給することにより、前記原子炉圧力容器内部の位置のうち相互に異なる複数の位置を冷却する複数の冷却系が含まれ、
前記給水前温度情報とは、いずれの前記冷却系も給水を開始していない状態において前記温度測定部によって測定された温度を示す情報であり、
前記給水後温度情報には、前記冷却系毎の給水後の温度を示す複数の冷却系毎給水後温度情報が含まれ、
前記熱源位置推定部は、
前記温度平均値と、前記給水前温度情報及び複数の前記冷却系毎給水後温度情報と、前記位置情報とに基づいて、前記ペデスタルの内部空間に存在する熱源の位置を推定する
請求項２又は請求項３に記載の原子炉格納容器内熱源位置推定装置。
【請求項５】
複数の前記冷却系とは、前記原子炉圧力容器内の外周部に冷却水を散布する外周部冷却系と、前記原子炉圧力容器内の内周部に冷却水を散布する内周部冷却系とである
請求項４に記載の原子炉格納容器内熱源位置推定装置。
【請求項６】
原子炉圧力容器を格納する原子炉格納容器内の複数の位置にそれぞれ配置されて温度測定を行う温度測定部がそれぞれ出力する温度情報に基づいて、温度平均値を算出する温度情報算出ステップと、
前記温度情報算出ステップにおいて算出される前記温度平均値と、前記温度情報と、複数の前記温度測定部が配置された位置をそれぞれ示す位置情報とに基づいて、前記原子炉圧力容器を支持するペデスタルの内部空間に存在する熱源の位置を推定する熱源位置推定ステップと
を有する原子炉格納容器内熱源位置推定方法。
【請求項７】
前記原子炉圧力容器内部には、冷却水を供給することにより、前記原子炉圧力容器内部を冷却する冷却水供給部が備えられ、
前記温度情報には、前記冷却水供給部による冷却水の供給前に前記温度測定部が測定する給水前温度情報と、前記冷却水供給部による冷却水の供給後に前記温度測定部が測定する給水後温度情報とが含まれ、
前記熱源位置推定ステップは、
前記温度平均値と、前記給水前温度情報及び前記給水後温度情報と、前記位置情報とに基づいて、前記ペデスタルの内部空間に存在する熱源の位置を推定する
請求項６に記載の原子炉格納容器内熱源位置推定方法。
【請求項８】
前記温度情報算出ステップは、
前記給水前温度情報に基づいて、給水前温度平均値を前記温度平均値として算出し、前記給水後温度情報に基づいて、給水後温度平均値を前記温度平均値として算出し、
前記熱源位置推定ステップは、
前記給水前温度平均値及び前記給水前温度情報と、前記給水後温度平均値及び前記給水後温度情報と、前記位置情報とに基づいて、前記ペデスタルの内部空間に存在する熱源の位置を推定する
請求項７に記載の原子炉格納容器内熱源位置推定方法。
【請求項９】
前記冷却水供給部には、冷却水を供給することにより、前記原子炉圧力容器内部の位置のうち相互に異なる複数の位置を冷却する複数の冷却系が含まれ、
前記給水前温度情報とは、いずれの前記冷却系も給水を開始していない状態において前記温度測定部によって測定された温度を示す情報であり、
前記給水後温度情報には、前記冷却系毎の給水後の温度を示す複数の冷却系毎給水後温度情報が含まれ、
前記熱源位置推定ステップは、
前記温度平均値と、前記給水前温度情報及び複数の前記冷却系毎給水後温度情報と、前記位置情報とに基づいて、前記ペデスタルの内部空間に存在する熱源の位置を推定する
請求項７又は請求項８に記載の原子炉格納容器内熱源位置推定方法。
【請求項１０】
複数の前記冷却系とは、前記原子炉圧力容器内の外周部に冷却水を散布する外周部冷却系と、前記原子炉圧力容器内の内周部に冷却水を散布する内周部冷却系とである
請求項９に記載の原子炉格納容器内熱源位置推定方法。
【発明の詳細な説明】
【技術分野】
【０００１】
本発明は、原子炉格納容器内熱源位置推定装置及び原子炉格納容器内熱源位置推定方法に関する。
【背景技術】
【０００２】
従来、熱源の位置を測定する技術が提案されている（例えば、特許文献１）。
【先行技術文献】
【特許文献】
【０００３】
【特許文献１】特開２０１３−８０２２５号公報
【発明の概要】
【発明が解決しようとする課題】
【０００４】
特許文献１に開示された熱源位置測定用のカメラは、可搬タイプであって、赤外線を用いて熱源の熱量を測定するものであった。このため、このような従来のカメラによると、測定のために人やロボットが熱源付近へ近付いて作業する必要があった。
本発明は、上述の事情に鑑みてなされたものであり、人やロボットが近付くことが困難な原子炉格納容器内部に存在する熱源位置を推定するための原子炉格納容器内熱源位置推定装置及び原子炉格納容器内熱源位置推定方法を提供することを目的とする。
【課題を解決するための手段】
【０００５】
本発明の一態様は、原子炉圧力容器を格納する原子炉格納容器内の複数の位置にそれぞれ配置されて温度測定を行う温度測定部がそれぞれ出力する温度情報に基づいて、温度平均値を算出する温度情報算出部と、前記温度情報算出部が算出する前記温度平均値と、前記温度情報と、複数の前記温度測定部が配置された位置をそれぞれ示す位置情報とに基づいて、前記原子炉圧力容器を支持するペデスタルの内部空間に存在する熱源の位置を推定する熱源位置推定部とを備える原子炉格納容器内熱源位置推定装置である。
【０００６】
また、本発明の一態様の原子炉格納容器内熱源位置推定装置において、前記原子炉圧力容器内部には、冷却水を供給することにより、前記原子炉圧力容器内部を冷却する冷却水供給部が備えられ、前記温度情報には、前記冷却水供給部による冷却水の供給前に前記温度測定部が測定する給水前温度情報と、前記冷却水供給部による冷却水の供給後に前記温度測定部が測定する給水後温度情報とが含まれ、前記熱源位置推定部は、前記温度平均値と、前記給水前温度情報及び前記給水後温度情報と、前記位置情報とに基づいて、前記ペデスタルの内部空間に存在する熱源の位置を推定する。
【０００７】
また、本発明の一態様の原子炉格納容器内熱源位置推定装置において、前記温度情報算出部は、前記給水前温度情報に基づいて、給水前温度平均値を前記温度平均値として算出し、前記給水後温度に基づいて、給水後温度平均値を前記温度平均値として算出し、前記熱源位置推定部は、前記給水前温度平均値及び前記給水前温度情報と、前記給水後温度平均値及び前記給水後温度情報と、前記位置情報とに基づいて、前記ペデスタルの内部空間に存在する熱源の位置を推定する。
【０００８】
また、本発明の一態様の原子炉格納容器内熱源位置推定装置において、前記冷却水供給部には、冷却水を供給することにより、前記原子炉圧力容器内部の位置のうち相互に異なる複数の位置を冷却する複数の冷却系が含まれ、前記給水前温度情報とは、いずれの前記冷却系も給水を開始していない状態において前記温度測定部によって測定された温度を示す情報であり、前記給水後温度情報には、前記冷却系毎の給水後の温度を示す複数の冷却系毎給水後温度情報が含まれ、前記熱源位置推定部は、前記温度平均値と、前記給水前温度情報及び複数の前記冷却系毎給水後温度情報と、前記位置情報とに基づいて、前記ペデスタルの内部空間に存在する熱源の位置を推定する。
【０００９】
また、本発明の一態様の原子炉格納容器内熱源位置推定装置において、複数の前記冷却系とは、前記原子炉圧力容器内の外周部に冷却水を散布する外周部冷却系と、前記原子炉圧力容器内の内周部に冷却水を散布する内周部冷却系とである。
【００１０】
また、本発明の一態様は、原子炉圧力容器を格納する原子炉格納容器内の複数の位置にそれぞれ配置されて温度測定を行う温度測定部がそれぞれ出力する温度情報に基づいて、温度平均値を算出する温度情報算出ステップと、前記温度情報算出ステップにおいて算出される前記温度平均値と、前記温度情報と、複数の前記温度測定部が配置された位置をそれぞれ示す位置情報とに基づいて、前記原子炉圧力容器を支持するペデスタルの内部空間に存在する熱源の位置を推定する熱源位置推定ステップとを有する原子炉格納容器内熱源位置推定方法である。
【００１１】
また、本発明の一態様の原子炉格納容器内熱源位置推定方法において、前記原子炉圧力容器内部には、冷却水を供給することにより、前記原子炉圧力容器内部を冷却する冷却水供給部が備えられ、前記温度情報には、前記冷却水供給部による冷却水の供給前に前記温度測定部が測定する給水前温度情報と、前記冷却水供給部による冷却水の供給後に前記温度測定部が測定する給水後温度情報とが含まれ、前記熱源位置推定ステップは、前記温度平均値と、前記給水前温度情報及び前記給水後温度情報と、前記位置情報とに基づいて、前記ペデスタルの内部空間に存在する熱源の位置を推定する。
【００１２】
また、本発明の一態様の原子炉格納容器内熱源位置推定方法において、前記温度情報算出ステップは、前記給水前温度情報に基づいて、給水前温度平均値を前記温度平均値として算出し、前記給水後温度情報に基づいて、給水後温度平均値を前記温度平均値として算出し、前記熱源位置推定ステップは、前記給水前温度平均値及び前記給水前温度情報と、前記給水後温度平均値及び前記給水後温度情報と、前記位置情報とに基づいて、前記ペデスタルの内部空間に存在する熱源の位置を推定する。
【００１３】
また、本発明の一態様の原子炉格納容器内熱源位置推定方法において、前記冷却水供給部には、冷却水を供給することにより、前記原子炉圧力容器内部の位置のうち相互に異なる複数の位置を冷却する複数の冷却系が含まれ、前記給水前温度情報とは、いずれの前記冷却系も給水を開始していない状態において前記温度測定部によって測定された温度を示す情報であり、前記給水後温度情報には、前記冷却系毎の給水後の温度を示す複数の冷却系毎給水後温度情報が含まれ、前記熱源位置推定ステップは、前記温度平均値と、前記給水前温度情報及び複数の前記冷却系毎給水後温度情報と、前記位置情報とに基づいて、前記ペデスタルの内部空間に存在する熱源の位置を推定する。
【００１４】
また、本発明の一態様の原子炉格納容器内熱源位置推定方法において、複数の前記冷却系とは、前記原子炉圧力容器内の外周部に冷却水を散布する外周部冷却系と、前記原子炉圧力容器内の内周部に冷却水を散布する内周部冷却系とである。
【発明の効果】
【００１５】
本発明によれば、人やロボットが近付くことが困難な原子炉格納容器内の熱源位置を推定するための原子炉格納容器内熱源位置推定装置及び原子炉格納容器内熱源位置推定方法を提供することができる。
【図面の簡単な説明】
【００１６】
【図１】本発明の実施形態に係る原子力発電システムの構成の一例を示す概要図である。
【図２】本実施形態における温度測定部の具体的な配置の一例を示す図である。
【図３】本実施形態における演算装置の機能構成の一例を示すブロック図である。
【図４】本実施形態における演算装置の動作の一例を示す流れ図である。
【図５】本実施形態における熱源の位置と温度測定部の位置の一例を示す図である。
【図６】本実施形態における記憶部に記憶されている温度測定情報の一例を示す図である。
【図７】本実施形態における熱源の位置と温度測定部の位置の一例を示す図である。
【図８】本実施形態における記憶部に記憶されている温度測定情報の一例を示す図である。
【図９】本実施形態における冷却水供給部の一例を示す図である。
【図１０】本実施形態における原子炉圧力容器を天面から見た場合の、給水系及び炉心スプレイ系が冷却する範囲の一例を示す図である。
【図１１】本実施形態における演算装置の動作の一例を示す流れ図である。
【図１２】本実施形態における演算装置の給水系を稼働させる場合の動作の一例を示す流れ図である。
【図１３】本実施形態における演算装置の炉心スプレイ系を稼働させる場合の動作の一例を示す流れ図である。
【図１４】本実施形態における熱源の位置と温度測定部の位置の一例を示す図である。
【図１５】本実施形態における記憶部に記憶されている温度測定情報の一例を示す表である。
【図１６】本実施形態における記憶部に記憶されている温度測定情報と温度平均値との差分の一例を示すグラフである。
【図１７】本実施形態における熱源の位置と温度測定部の位置の一例を示す図である。
【図１８】本実施形態における記憶部に記憶されている温度測定情報の一例を示す表である。
【図１９】本実施形態における記憶部に記憶されている温度測定情報と温度平均値との差分の一例を示すグラフである。
【図２０】本実施形態における熱源の位置と温度測定部の位置の一例を示す図である。
【図２１】本実施形態における記憶部に記憶されている温度測定情報の一例を示す表である。
【図２２】本実施形態における記憶部に記憶されている温度測定情報と温度平均値との差分の一例を示すグラフである。
【発明を実施するための形態】
【００１７】
［実施形態］
以下、図面を参照して、本発明に係る原子炉格納容器内熱源位置推定装置の一実施形態について説明する。図１は、本発明の実施形態に係る原子力発電システム１の構成の一例を示す概要図である。なお、この実施形態に記載されている構成部品の個数、その相対的配置等は、特定的な記載がない限り本発明の範囲をこれに限定する趣旨ではなく、単なる説明例にすぎない。
【００１８】
［原子力発電システム１の構成］
原子力発電システム１は、原子炉格納容器２０と、原子炉格納容器内熱源位置推定装置（以下、「演算装置」という）１０と、表示装置３０とを備える。
【００１９】
原子炉格納容器２０は、原子炉圧力容器２０１と、冷却水供給部２０２と、温度測定部２０３−１と、温度測定部２０３−２と、温度測定部２０３−３と、温度測定部２０３−４と、温度測定部２０３−５と、温度測定部２０３−６と、温度測定部２０３−７と、温度測定部２０３−８と、制御棒駆動系配管２０５と、ペデスタル２０６とを備える。
【００２０】
温度測定部２０３−１と、温度測定部２０３−２と、温度測定部２０３−３と、温度測定部２０３−４と、温度測定部２０３−５と、温度測定部２０３−６と、温度測定部２０３−７と、温度測定部２０３−８とは、原子炉格納容器２０の複数の位置にそれぞれ配置され、配置された位置の温度を測定する。また、温度測定部２０３−１と、温度測定部２０３−２と、温度測定部２０３−３と、温度測定部２０３−４と、温度測定部２０３−５と、温度測定部２０３−６と、温度測定部２０３−７と、温度測定部２０３−８とは、演算装置１０とそれぞれ接続され、温度測定情報ＴＶを演算装置１０にそれぞれ供給する。以下の説明において、これら温度測定部２０３−１、温度測定部２０３−２、温度測定部２０３−３、温度測定部２０３−４、温度測定部２０３−５、温度測定部２０３−６、温度測定部２０３−７及び温度測定部２０３−８を区別しない場合には、温度測定部２０３と総称する。
温度測定情報ＴＶとは、温度測定部２０３がそれぞれ測定した温度を示す情報である。この温度測定情報ＴＶには、温度測定部２０３−１が測定した温度ＴＶ−１を示す情報、温度測定部２０３−２が測定した温度ＴＶ−２を示す情報、温度測定部２０３−３が測定した温度ＴＶ−３を示す情報、温度測定部２０３−４が測定した温度ＴＶ−４を示す情報、温度測定部２０３−５が測定した温度ＴＶ−５を示す情報、温度測定部２０３−６が測定した温度ＴＶ−６を示す情報、温度測定部２０３−７が測定した温度ＴＶ−７を示す情報及び温度測定部２０３−８が測定した温度ＴＶ−８を示す情報が含まれる。
【００２１】
温度測定部２０３について、図２を参照して説明する。図２は、本実施形態における温度測定部２０３の具体的な配置の一例を示す図である。
【００２２】
制御棒（不図示）は、原子炉圧力容器２０１の中に存在し、原子炉燃料の分裂連鎖反応を昇降動作により調整する。
制御棒駆動系配管２０５−１、制御棒駆動系配管２０５−２、制御棒駆動系配管２０５−３、制御棒駆動系配管２０５−４は、制御棒を昇降制御する為に必要な駆動水などを供給する配管設備である。以下の説明において、これら制御棒駆動系配管２０５−１、制御棒駆動系配管２０５−２、制御棒駆動系配管２０５−３、制御棒駆動系配管２０５−４を区別しない場合には、制御棒駆動系配管２０５と総称する。
【００２３】
温度測定部２０３−１は、原子炉圧力容器２０１と繋がる制御棒駆動系配管２０５−１の近傍に配置される。温度測定部２０３−２は、原子炉圧力容器２０１と繋がる制御棒駆動系配管２０５−２の近傍に配置される。温度測定部２０３−３は、原子炉圧力容器２０１と繋がる制御棒駆動系配管２０５−３の近傍に配置される。温度測定部２０３−４は、原子炉圧力容器２０１と繋がる制御棒駆動系配管２０５−４の近傍に配置される。温度測定部２０３−５、温度測定部２０３−６、温度測定部２０３−７及び温度測定部２０３−８は、原子炉圧力容器２０１内部の制御棒駆動系配管２０５からそれぞれ離れた位置に配置される。
また、温度測定部２０３は、それぞれの温度情報ＴＶと、位置情報ＳＳＰとを、温度情報算出部１０２に対して供給する。
位置情報ＳＳＰは、複数の温度測定部２０３が配置された位置をそれぞれ示す情報である。このＳＳＰには、温度測定部２０３−１が配置された位置を示す情報ＳＳＰ−１、温度測定部２０３−２が配置された位置を示す情報ＳＳＰ−２、温度測定部２０３−３が配置された位置を示す情報ＳＳＰ−３、温度測定部２０３−４が配置された位置を示す情報ＳＳＰ−４、温度測定部２０３−５が配置された位置を示す情報ＳＳＰ−５、温度測定部２０３−６が配置された位置を示す情報ＳＳＰ−６、温度測定部２０３−７が配置された位置を示す情報ＳＳＰ−７及び温度測定部２０３−８が配置された位置を示す情報ＳＳＰ−８が含まれる。例えば、位置情報ＳＳＰは、温度測定部２０３毎にＧＰＳ（Ｇｌｏｂａｌ  Ｐｏｓｉｔｉｏｎｉｎｇ  Ｓｙｓｔｅｍ）を備え、ＧＰＳから算出した位置情報でもよい。また、温度測定部は耐放射線ロボットに搭載されたものでもよい。その場合、位置情報ＳＳＰは、耐放射線ロボットが備えるＧＰＳから算出した位置情報でもよい。また、耐放射線ロボットをカメラで撮影し、撮影した映像から位置情報を取得してもよい。
【００２４】
図１に戻り、ペデスタル２０６は、原子炉圧力容器２０１を支持する構造物である。
熱源２０７には、原子炉圧力容器２０１の底部に落下し溜まっているものと、原子炉圧力容器２０１の底部を貫通しペデスタル２０６の内部空間ＳＰに落下したものとがある。また、原子炉圧力容器２０１の底部には炉心損傷により溶融したことにより、穴が存在している。熱源２０７は、この穴から落下し、原子炉圧力容器２０１下部のペデスタルの内部空間ＳＰに存在する制御棒駆動機構（不図示）、制御棒駆動系配管、計装装置その他構造物（不図示）に引っ掛かり溜まっているものが存在していると考えられる。この一例では、熱源２０７には、燃料デブリなどが含まれる。燃料デブリとは、原子炉燃料が溶融した後に固まったものである。
【００２５】
演算装置１０は、温度測定部２０３−１と、温度測定部２０３−２と、温度測定部２０３−３と、温度測定部２０３−４と、温度測定部２０３−５と、温度測定部２０３−６と、温度測定部２０３−７と、温度測定部２０３−８と接続される。また、演算装置１０は、温度測定情報ＴＶと複数の温度測定部が配置された位置をそれぞれ示す位置情報ＳＳＰとに基づいて、熱源位置情報ＨＳＰを算出し、表示装置３０に演算結果を供給する。この一例では、演算装置１０は、温度測定部２０３それぞれと接続される。また、演算装置１０は、接続された温度測定部２０３それぞれから、温度測定情報ＴＶをそれぞれ取得する。
熱源位置情報ＨＳＰは、ペデスタルの内部空間ＳＰに存在する熱源２０７の位置を推定した情報である。
表示装置３０は、演算装置１０と接続され、演算装置１０が演算した熱源位置情報ＨＳＰを、画像にして提示する。なお、表示装置３０は、熱源位置情報ＨＳＰを、文字にして提示してもよい。
また、表示装置３０は、熱源位置情報ＨＳＰを、紙媒体で出力するようにしてもよい。さらに、表示装置３０は、熱源位置情報ＨＳＰを、外部の記録媒体に記録するようにしてもよい。
【００２６】
次に、図３を参照して、演算装置１０の具体的な構成例について説明する。図３は、本実施形態における演算装置１０の機能構成の一例を示すブロック図である。
演算装置１０は、記憶部１０１と、温度情報算出部１０２と、熱源位置推定部１０３とを備える。
【００２７】
温度情報算出部１０２は、上述した温度測定部２０３から得られた温度測定情報ＴＶに基づき、温度平均値ＴＶＡを算出する。具体的には、温度情報算出部１０２は、温度測定情報ＴＶ−１、温度測定情報ＴＶ−２、温度測定情報ＴＶ−３、温度測定情報ＴＶ−４、温度測定情報ＴＶ−５、温度測定情報ＴＶ−６、温度測定情報ＴＶ−７及び温度測定情報ＴＶ−８の平均を、温度平均値ＴＶＡとして算出する。また、温度平均値ＴＶＡは、複数の温度測定部２０３のうち、演算装置１０の操作者が、任意に決めた複数の温度測定部２０３が測定した温度測定情報ＴＶに基づき算出してもよい。
【００２８】
また、温度情報算出部１０２は、記憶部１０１に対して、上述した温度測定情報ＴＶと、温度平均値ＴＶＡと、位置情報ＳＳＰとを供給する。なお、温度情報算出部１０２は、温度測定情報ＴＶと、温度平均値ＴＶＡと、位置情報ＳＳＰとを、記憶部１０１を介さず、熱源位置推定部１０３に対して供給するようにしてもよい。
記憶部１０１には、温度情報算出部１０２から得られた温度測定情報ＴＶが温度測定部２０３ごとに記憶されている。さらに、記憶部１０１には、温度平均値ＴＶＡと、位置情報ＳＳＰとが記憶されている。
熱源位置推定部１０３は、記憶部１０１から温度測定情報ＴＶと、温度平均値ＴＶＡと、位置情報ＳＳＰとを読み出す。さらに、熱源位置推定部１０３は、熱源２０７の推定位置である熱源位置情報ＨＳＰを算出する。また、熱源位置推定部１０３は、表示装置３０に熱源位置情報ＨＳＰを出力する。
【００２９】
具体的には、熱源位置推定部１０３は、温度平均値ＴＶＡと、温度測定情報ＴＶに含まれる温度測定情報ＴＶ−１とを比較する。熱源位置推定部１０３は、温度平均値ＴＶＡと、温度測定情報ＴＶ−２とを比較する。熱源位置推定部１０３は、温度平均値ＴＶＡと、温度測定情報ＴＶ−３とを比較する。熱源位置推定部１０３は、温度平均値ＴＶＡと、温度測定情報ＴＶ−４とを比較する。熱源位置推定部１０３は、温度平均値ＴＶＡと、温度測定情報ＴＶ−５とを比較する。熱源位置推定部１０３は、温度平均値ＴＶＡと、温度測定情報ＴＶ−６とを比較する。熱源位置推定部１０３は、温度平均値ＴＶＡと、温度測定情報ＴＶ−７とを比較する。熱源位置推定部１０３は、温度平均値ＴＶＡと、温度測定情報ＴＶ−８とを比較する。熱源位置推定部１０３は、温度平均値ＴＶＡよりも高い温度を測定した温度測定部２０３の近傍に熱源２０７が存在すると推定した熱源位置情報ＨＳＰを、表示装置３０に出力する。
【００３０】
［演算装置１０の動作の概要］
次に、図４を参照して、本実施形態における演算装置１０の動作の一例について説明する。図４は、本実施形態における演算装置１０の動作の一例を示す流れ図Ｓ１である。
【００３１】
この一例では、演算装置１０は、温度測定部２０３が持つ温度情報ＴＶ及び位置情報ＳＳＰを取得する（ステップＳ１１０）。温度情報算出部１０２は、得られた温度測定情報ＴＶに基づき温度平均値ＴＶＡを算出し、記憶部１０１に記憶する。（ステップＳ１２０）。熱源位置推定部１０３は、記憶部から得られた情報に基づき熱源位置推定を行い、表示装置３０にて熱源位置推定の結果を提示する（ステップＳ１３０）。
【００３２】
［演算装置１０の動作の具体例１］
次に、図５及び図６を参照して、本実施形態における演算装置１０の動作の一例について説明する。図５は、本実施形態における熱源２０７の位置と温度測定部２０３の位置の一例を示す図である。図６は、本実施形態における記憶部１０１に記憶されている温度測定情報ＴＶの一例を示す図である。
【００３３】
この一例では、熱源２０７が温度測定部２０３−１の近傍に存在する。
記憶部１０１には、温度測定情報ＴＶが温度測定部２０３毎に記憶されている。
具体的には、記憶部１０１には、温度測定部２０３−１が測定した結果である”４０”［℃］ が、温度測定情報ＴＶ−１として記憶されている。また、記憶部１０１には、温度測定部２０３−２が測定した結果である”２５”［℃］が温度測定情報ＴＶ−２として、温度測定部２０３−３が測定した結果である”２３”［℃］が温度測定情報ＴＶ−３として、温度測定部２０３−４が測定した結果である”２３”［℃］が温度測定情報ＴＶ−４として、温度測定部２０３−５が測定した結果である”２４”［℃］が温度測定情報ＴＶ−５として、温度測定部２０３−６が測定した結果である”２５”［℃］が温度測定情報ＴＶ−６として、温度測定部２０３−７が測定した結果である”２４”［℃］が温度測定情報ＴＶ−７として、温度測定部２０３−８が測定した結果である”２５”［℃］が温度測定情報ＴＶ−８として、それぞれ記憶されている。
また、記憶部１０１には、温度測定情報ＴＶの平均値である”２６．１２５”［℃］が温度平均値ＴＶＡとして、記憶されている。
【００３４】
熱源位置推定部１０３は、温度平均値ＴＶＡと温度測定情報ＴＶ−１とを比較する。熱源位置推定部１０３は、温度測定情報ＴＶ−１が温度平均値ＴＶＡよりも高い値を示しているため、熱源２０７が温度測定部２０３−１近傍に存在すると推定する。また、温度測定部２０３は、温度平均値ＴＶＡと温度測定情報ＴＶ−２とを比較する。熱源位置推定部１０３は、温度測定情報ＴＶ−２が温度平均値ＴＶＡよりも低い値を示しているため、熱源２０７は温度測定部２０３−２近傍には存在しないと推定する。同様に熱源位置推定部１０３は、温度平均値ＴＶＡと温度測定情報ＴＶ−３とを、温度平均値ＴＶＡと温度測定情報ＴＶ−４とを、温度平均値ＴＶＡと温度測定情報ＴＶ−５とを、温度平均値ＴＶＡと温度測定情報ＴＶ−６とを、温度平均値ＴＶＡと温度測定情報ＴＶ−７とを、温度平均値ＴＶＡと温度測定情報ＴＶ−８とを比較する。熱源位置推定部１０３は、温度平均値ＴＶＡよりも高い値を示すものがないため、温度測定部２０３−３、温度測定部２０３−４、温度測定部２０３−５、温度測定部２０３−６、温度測定部２０３−７及び温度測定部２０３−８の近傍には、熱源２０７は存在しないと推定する。
よって、熱源位置推定部１０３は、温度測定部２０３−１近傍に熱源２０７が存在すると推定する。
具体的には、熱源位置推定部１０３は、温度測定部２０３−１の位置情報ＳＳＰ−１近傍に熱源２０７が存在することを示す、熱源位置情報ＨＳＰを出力する。
【００３５】
［演算装置１０の動作の具体例２］
次に、図７及び図８を参照して、本実施形態における演算装置１０の動作の一例について説明する。図７は、本実施形態における熱源２０７の位置と温度測定部２０３の位置の一例を示す図である。図８は、本実施形態における記憶部１０１に記憶されている温度測定情報ＴＶの一例を示す図である。
【００３６】
この一例では、熱源２０７が、温度測定部２０３−１の近傍、温度測定部２０３−２の近傍、温度測定部２０３−３近傍にそれぞれ存在する。
【００３７】
記憶部１０１には、図８に示すような温度測定情報ＴＶが温度測定部２０３毎に記憶されている。
具体的には、記憶部１０１には、温度測定部２０３−１が測定した結果である”４０”［℃］ が、温度測定情報ＴＶ−１として記憶されている。また、記憶部１０１には、温度測定部２０３−２が測定した結果である”４２”［℃］が温度測定情報ＴＶ−２として、温度測定部２０３−３が測定した結果である”３９”［℃］が温度測定情報ＴＶ−３として、温度測定部２０３−４が測定した結果である”２３”［℃］が温度測定情報ＴＶ−４として、温度測定部２０３−５が測定した結果である”２４”［℃］が温度測定情報ＴＶ−５として、温度測定部２０３−６が測定した結果である”２５”［℃］が温度測定情報ＴＶ−６として、温度測定部２０３−７が測定した結果である”２４”［℃］が温度測定情報ＴＶ−７として、温度測定部２０３−８が測定した結果である”２５”［℃］が温度測定情報ＴＶ−８として、それぞれ記憶されている。
また、記憶部１０１には、温度測定情報ＴＶの平均値である”３０．２５”［℃］が温度平均値ＴＶＡとして、記憶されている。
熱源位置推定部１０３は、温度平均値ＴＶＡよりも高い値を示した温度測定部２０３−１近傍と、温度測定部２０３−２近傍と、温度測定部２０３−３近傍とに、それぞれ熱源２０７が存在すると推定する。
具体的には、熱源位置推定部１０３は、温度測定部２０３−１の位置情報ＳＳＰ−１近傍と、温度測定部２０３−２の位置情報ＳＳＰ−２近傍と、温度測定部２０３−３の位置情報ＳＳＰ−３近傍とに、それぞれ熱源２０７が存在することを示す、熱源位置情報ＨＳＰを出力する。
【００３８】
以上、説明したように、本実施形態の原子炉格納容器内熱源位置推定装置は、原子力発電システム１の接近困難な熱源付近に元々備わっている複数の温度測定部を利用して、温度測定部それぞれの温度情報を取得する。また、本実施形態の原子炉格納容器内熱源位置推定装置は、得られた温度測定部それぞれの温度情報から、温度平均値を演算する。本実施形態の原子炉格納容器内熱源位置推定装置は、温度測定部それぞれの温度情報と、温度平均値とに基づき、ペデスタル内部空間に存在する熱源の周方向の推定位置を演算できる。
【００３９】
［冷却系がある場合の構成］
ここまでは温度平均値ＴＶＡと、温度測定情報ＴＶとに基づき、熱源２０７の位置を推定する構成について説明した。次に、原子力発電システム１が冷却系を備える場合について、図９及び図１０を参照して説明する。図９は、本実施形態における冷却水供給部２０２の一例を示す図である。図１０は、本実施形態における原子炉圧力容器２０１を天面から見た場合の、給水系２０２−１及び炉心スプレイ系２０２−２が冷却する範囲の一例を示す図である。
【００４０】
原子力発電システム１は、ポンプ２０４をさらに備える。
ポンプ２０４は、演算装置１０とは接続される。また、ポンプ２０４は、演算装置１０に対して、ポンプ動作状態情報ＰＡＳを供給する。
ポンプ動作状態情報ＰＡＳとは、ポンプ２０４の動作状態を示す情報である。
具体的には、ポンプ動作状態情報ＰＡＳには、ポンプ２０４が動作している状態と、動作していない状態とを示す２値情報が含まれる。また、ポンプ動作状態情報ＰＡＳは、冷却水の供給の有無が判ればよいため、２値情報でなくともよい。
この一例では、ポンプ２０４は、給水系ポンプ２０４−１と、炉心スプレイ系ポンプ２０４−２とを備える。下の説明において、これら給水系ポンプ２０４−１及び炉心スプレイ系ポンプ２０４−２を区別しない場合には、ポンプ２０４と総称する。
【００４１】
原子炉圧力容器２０１は、冷却水供給部２０２をさらに備える。この一例では、冷却水供給部２０２は、給水系２０２−１と、炉心スプレイ系２０２−２とを備える。下の説明において、これら給水系２０２−１と、炉心スプレイ系２０２−２とを区別しない場合には、冷却水供給部２０２と総称する。
冷却水供給部２０２は、ポンプ２０４と接続され、ポンプ２０４から供給された冷却水を原子炉圧力容器２０１の上部から吐出する。
【００４２】
給水系２０２−１は、給水系ポンプ２０４−１と接続される。
給水系ポンプ２０４−１は、給水系２０２−１に冷却水を供給する。また、給水系ポンプ２０４−１は、演算装置１０に自身の動作状態情報ＰＡＳ−１を供給する。具体的には、ポンプ動作状態情報ＰＡＳ−１には、給水系ポンプ２０４−１が動作している状態と、動作していない状態とを示す２値情報が含まれる。
また、給水系２０２−１は、給水系ポンプ２０４−１から供給された冷却水を原子炉圧力容器２０１の上部外周部から、原子炉圧力容器２０１の内側側面に沿って吐出する。
【００４３】
炉心スプレイ系２０２−２は、炉心スプレイ系ポンプ２０４−２と接続される。
炉心スプレイ系ポンプ２０４−２は、炉心スプレイ系２０２−２に冷却水を供給する。また、炉心スプレイ系ポンプ２０４−２は、演算装置１０に自身の動作状態情報ＰＡＳ−２を供給する。具体的には、ポンプ動作状態情報ＰＡＳ−２には、炉心スプレイ系ポンプ２０４−２が動作している状態と、動作していない状態とを示す２値情報が含まれる。
また、炉心スプレイ系２０２−２は、炉心スプレイ系ポンプ２０４−２から供給された冷却水を、原子炉圧力容器２０１の上部中心部から、原子炉圧力容器２０１の中心部に吐出する。
なお、給水系２０２−１及び炉心スプレイ系２０２−２がそれぞれ冷却水を吐出する位置は、上述した範囲に限られない。
また、給水系ポンプ２０４−１及び炉心スプレイ系ポンプ２０４−２は、同一のポンプであってもよい。また、その場合は、給水系２０２−１及び炉心スプレイ系２０２−２のそれぞれに供給する冷却水の流量を調節するためのバルブなどを有し、給水系２０２−１及び炉心スプレイ系２０２−２からの冷却水の供給の有無をそれぞれ調節できるようにする。さらに、給水系２０２−１の流量を調節するバルブの開閉状態を、ポンプ動作状態情報ＰＡＳ−１とする。炉心スプレイ系２０２−２のバルブの開閉状態を、ポンプ動作状態情報ＰＡＳ−２とする。
【００４４】
演算装置１０は、温度平均値ＴＶＡと、温度測定情報ＴＶと、第１の温度情報（以下、温度測定情報ＴＶ−Ｐ１と記す）と、温度測定情報ＴＶ−Ｐ１の平均値である温度平均値ＴＶＡ−Ｐ１と、第２の温度情報（以下、温度測定情報ＴＶ−Ｐ２と記す）と、温度測定情報ＴＶ−Ｐ２の平均値である温度平均値ＴＶＡ−Ｐ２と、ポンプ動作状態情報ＰＡＳとに基づいて、熱源位置情報ＨＳＰを算出し、表示装置３０に演算結果を供給する。
温度情報算出部１０２は、記憶部１０１に対して、温度平均値ＴＶＡと、温度測定情報ＴＶと、位置情報ＳＳＰとを供給する。また、温度情報算出部１０２は、記憶部１０１に対して、給水系ポンプ２０４−１動作後に温度測定部２０３によってそれぞれ測定された温度測定情報を、温度測定情報ＴＶ−Ｐ１として供給する。さらに、温度情報算出部１０２は、温度測定情報ＴＶ−Ｐ１の平均値を算出する。温度情報算出部１０２は、記憶部１０１に対して温度平均値ＴＶＡ−Ｐ１として供給する。
また、温度情報算出部１０２は、炉心スプレイ系ポンプ２０４−２動作後に温度測定部２０３によってそれぞれ測定された温度測定情報を温度測定情報ＴＶ−Ｐ２として供給する。さらに、温度情報算出部１０２は、温度測定情報ＴＶ−Ｐ２の平均値を算出する。温度情報算出部１０２は、記憶部１０１に対して温度平均値ＴＶＡ−Ｐ２として供給する。
【００４５】
温度測定情報ＴＶ−Ｐ１には、給水系ポンプ２０４−１動作後において温度測定部２０３−１が測定した温度である温度測定情報ＴＶ−Ｐ１−１と、給水系ポンプ２０４−１動作後において温度測定部２０３−２が測定した温度である温度測定情報ＴＶ−Ｐ１−２と、給水系ポンプ２０４−１動作後において温度測定部２０３−３が測定した温度である温度測定情報ＴＶ−Ｐ１−３と、給水系ポンプ２０４−１動作後において温度測定部２０３−４が測定した温度である温度測定情報ＴＶ−Ｐ１−４と、給水系ポンプ２０４−１動作後において温度測定部２０３−５が測定した温度である温度測定情報ＴＶ−Ｐ１−５と、給水系ポンプ２０４−１動作後において温度測定部２０３−６が測定した温度である温度測定情報ＴＶ−Ｐ１−６と、給水系ポンプ２０４−１動作後において温度測定部２０３−７が測定した温度である温度測定情報ＴＶ−Ｐ１−７と、給水系ポンプ２０４−１動作後において温度測定部２０３−８が測定した温度である温度測定情報ＴＶ−Ｐ１−８とが含まれる。
【００４６】
温度測定情報ＴＶ−Ｐ２には、炉心スプレイ系ポンプ２０４−２動作後において温度測定部２０３−１が測定した温度である温度測定情報ＴＶ−Ｐ２−１と、炉心スプレイ系ポンプ２０４−２動作後において温度測定部２０３−２が測定した温度である温度測定情報ＴＶ−Ｐ２−２と、炉心スプレイ系ポンプ２０４−２動作後において温度測定部２０３−３が測定した温度である温度測定情報ＴＶ−Ｐ２−３と、炉心スプレイ系ポンプ２０４−２動作後において温度測定部２０３−４が測定した温度である温度測定情報ＴＶ−Ｐ２−４と、炉心スプレイ系ポンプ２０４−２動作後において温度測定部２０３−５が測定した温度である温度測定情報ＴＶ−Ｐ２−５と、炉心スプレイ系ポンプ２０４−２動作後において温度測定部２０３−６が測定した温度である温度測定情報ＴＶ−Ｐ２−６と、炉心スプレイ系ポンプ２０４−２動作後において温度測定部２０３−７が測定した温度である温度測定情報ＴＶ−Ｐ２−７と、炉心スプレイ系ポンプ２０４−２動作後において温度測定部２０３−８が測定した温度である温度測定情報ＴＶ−Ｐ２−８とが含まれる。
【００４７】
熱源位置推定部１０３は、記憶部１０１から得た温度測定情報ＴＶと、温度平均値ＴＶＡと、温度測定情報ＴＶ−Ｐ１と、温度平均値ＴＶＡ−Ｐ１と、温度測定情報ＴＶ−Ｐ２と、温度平均値ＴＶＡ−Ｐ２と、位置情報ＳＳＰとに基づき、熱源２０７の位置を推定し、熱源位置情報ＨＳＰを算出する。また、熱源位置推定部１０３は、熱源位置情報ＨＳＰを表示装置３０に出力する。
【００４８】
［冷却系がある場合の演算装置１０の動作の概要］
次に、図１１から図１３を参照して、本実施形態における演算装置１０の動作の一例について説明する。図１１は、本実施形態における演算装置１０の動作の一例を示す流れ図Ｓ２である。図１２は、本実施形態における演算装置１０の給水系２０２−１を稼働させる場合の動作の一例を示す流れ図Ｓ３である。図１３は、本実施形態における演算装置１０の炉心スプレイ系２０２−２を稼働させる場合の動作の一例を示す流れ図Ｓ４である。
【００４９】
この一例では、演算装置１０は、流れ図Ｓ１の処理を行い、給水前温度情報として温度測定情報ＴＶと、給水前温度平均値として温度平均値ＴＶＡと、位置情報ＳＳＰとを取得する。また、演算装置１０は、温度測定情報ＴＶと温度平均値ＴＶＡと、位置情報ＳＳＰとに基づき、熱源２０７のペデスタルの内部空間ＳＰにおける周方向の位置推定を行う。さらに、演算装置１０は、給水系２０２−１を稼働させた流れ図Ｓ３の処理を行い、給水後温度情報として温度測定情報ＴＶ−Ｐ１と、給水後温度平均値として温度平均値ＴＶＡ−Ｐ１とを取得する。また、演算装置１０は、炉心スプレイ系２０２−２を稼働させた流れ図Ｓ４の処理を行い、給水後温度情報として温度測定情報ＴＶ−Ｐ２と、給水後温度平均値として温度平均値ＴＶＡ−Ｐ２とを取得する。演算装置１０は、温度測定情報ＴＶ−Ｐ１と、温度平均値ＴＶＡ−Ｐ１と、温度測定情報ＴＶ−Ｐ２と、温度平均値ＴＶＡ−Ｐ２と、位置情報ＳＳＰとを用いて、熱源２０７のペデスタルの内部空間ＳＰにおける径方向の位置推定を行う（ステップＳ２１０）。なお、流れ図Ｓ３の処理と、流れ図Ｓ４の処理とは、どちらの処理を先に行ってもよい。
【００５０】
次に、図１２に示す流れ図Ｓ３の処理について説明する。
演算装置１０は、ポンプ動作状態情報ＰＡＳ−１を取得する（ステップＳ３１０）。演算装置１０は、給水系ポンプ２０４−１からの冷却水供給動作後に、温度測定部２０３がそれぞれ測定した温度情報ＴＶを、温度測定情報ＴＶ−Ｐ１として取得し、記憶する。また、演算装置１０は、位置情報ＳＳＰを取得し、記憶する（ステップＳ３２０）。さらに、演算装置１０は、温度測定情報ＴＶ−Ｐ１の平均値を、温度平均値ＴＶＡ−Ｐ１として算出し、記憶する（ステップＳ３３０）。
【００５１】
次に、図１３に示す流れ図Ｓ４の処理について説明する。
演算装置１０は、ポンプ動作状態情報ＰＡＳ−２を取得する（ステップＳ４１０）。演算装置１０は、炉心スプレイ系ポンプ２０４−２の冷却水供給動作後に、温度測定部２０３がそれぞれ測定した温度情報ＴＶを、温度測定情報ＴＶ−Ｐ２として取得し、記憶する。また演算装置１０は、位置情報ＳＳＰを取得し、記憶する（ステップＳ４２０）。さらに、演算装置１０は、温度測定情報ＴＶ−Ｐ２の平均値を、温度平均値ＴＶＡ−Ｐ２として算出し、記憶する（ステップＳ４３０）。
【００５２】
［冷却系がある場合の演算装置１０の動作の具体例１］
次に、図１４から図１６を参照して、本実施形態における演算装置１０の動作の一例について説明する。図１４は、本実施形態における熱源２０７の位置と温度測定部２０３の位置の一例を示す図である。図１５は、本実施形態における記憶部１０１に記憶されている温度測定情報ＴＶ、温度測定情報ＴＶ−Ｐ１及び温度測定情報ＴＶ−Ｐ２の一例を示す表である。図１６は、本実施形態における記憶部１０１に記憶されている温度測定情報ＴＶと温度平均値ＴＶＡとの差分、温度測定情報ＴＶ−Ｐ１と温度平均値ＴＶＡ−Ｐ１との差分、及び温度測定情報ＴＶ−Ｐ２と温度平均値ＴＶＡ−Ｐ２との差分の一例を示すグラフである。
この一例では、熱源２０７がペデスタルの内部空間ＳＰの、温度測定部２０３−１近傍かつ側面部に１つ存在する。
【００５３】
記憶部１０１には、図１５に示すような温度測定情報ＴＶが温度測定部２０３毎に記憶されている。
具体的には、記憶部１０１には、温度測定部２０３−１が測定した結果である”４２”［℃］ が、温度測定情報ＴＶ−１として記憶されている。また、記憶部１０１には、温度測定部２０３−２が測定した結果である”２５”［℃］が温度測定情報ＴＶ−２として、温度測定部２０３−３が測定した結果である”２５”［℃］が温度測定情報ＴＶ−３として、温度測定部２０３−４が測定した結果である”２５”［℃］が温度測定情報ＴＶ−４として、温度測定部２０３−５が測定した結果である”２４”［℃］が温度測定情報ＴＶ−５として、温度測定部２０３−６が測定した結果である”２５”［℃］が温度測定情報ＴＶ−６として、温度測定部２０３−７が測定した結果である”２４”［℃］が温度測定情報ＴＶ−７として、温度測定部２０３−８が測定した結果である”２５”［℃］が温度測定情報ＴＶ−８として、それぞれ記憶されている。
また、記憶部１０１には、温度測定情報ＴＶの平均値である”２６．８７５”［℃］が、温度平均値ＴＶＡとして、記憶されている。
【００５４】
さらに、記憶部１０１には、給水系ポンプ２０４−１からの冷却水供給動作後に温度測定部２０３がそれぞれ測定した温度測定情報ＴＶ−Ｐ１が、温度測定部２０３毎にそれぞれ記憶されている。
具体的には、記憶部１０１には、温度測定部２０３−１が測定した結果である”３０”［℃］ が、温度測定情報ＴＶ−Ｐ１−１として記憶されている。また、記憶部１０１には、温度測定部２０３−２が測定した結果である”２４”［℃］が温度測定情報ＴＶ−Ｐ１−２として、温度測定部２０３−３が測定した結果である”２４”［℃］が温度測定情報ＴＶ−Ｐ１−３として、温度測定部２０３−４が測定した結果である”２４”［℃］が温度測定情報ＴＶ−Ｐ１−４として、温度測定部２０３−５が測定した結果である”２３”［℃］が温度測定情報ＴＶ−Ｐ１−５として、温度測定部２０３−６が測定した結果である”２４”［℃］が温度測定情報ＴＶ−Ｐ１−６として、温度測定部２０３−７が測定した結果である”２３”［℃］が温度測定情報ＴＶ−Ｐ１−７として、温度測定部２０３−８が測定した結果である”２４”［℃］が温度測定情報ＴＶ−Ｐ１−８として、それぞれ記憶されている。
また、記憶部１０１には、温度測定情報ＴＶ−Ｐ１の平均値である”２４．５”［℃］が、温度平均値ＴＶＡ−Ｐ１として、記憶されている。
【００５５】
さらに、記憶部１０１には、炉心スプレイ系ポンプ２０４−２からの冷却水供給動作後に、温度測定部２０３がそれぞれ測定した温度測定情報ＴＶ−Ｐ２が、温度測定部２０３毎にそれぞれ記憶されている。
具体的には、記憶部１０１には、温度測定部２０３−１が測定した結果である”３７”［℃］が、温度測定情報ＴＶ−Ｐ２−１として記憶されている。また、記憶部１０１には、温度測定部２０３−２が測定した結果である”２５”［℃］が温度測定情報ＴＶ−Ｐ２−２として、温度測定部２０３−３が測定した結果である”２５”［℃］が温度測定情報ＴＶ−Ｐ２−３として、温度測定部２０３−４が測定した結果である”２５”［℃］が温度測定情報ＴＶ−Ｐ２−４として、温度測定部２０３−５が測定した結果である”２４”［℃］が温度測定情報ＴＶ−Ｐ２−５として、温度測定部２０３−６が測定した結果である”２５”［℃］が温度測定情報ＴＶ−Ｐ２−６として、温度測定部２０３−７が測定した結果である”２４”［℃］が温度測定情報ＴＶ−Ｐ２−７として、温度測定部２０３−８が測定した結果である”２５”［℃］が温度測定情報ＴＶ−Ｐ２−８として、それぞれ記憶されている。
また、記憶部１０１には、温度測定情報ＴＶ−Ｐ２の平均値である”２６．２５”［℃］が、温度平均値ＴＶＡ−Ｐ２として、記憶されている。
【００５６】
熱源位置推定部１０３は、温度平均値ＴＶＡと温度測定情報ＴＶそれぞれとの差分を算出する。熱源位置推定部１０３は、温度平均値ＴＶＡよりも高い値を示した温度測定情報ＴＶ−１を測定した温度測定部２０３−１近傍に、熱源２０７が存在すると推定する。
【００５７】
次に、熱源位置推定部１０３は、温度平均値ＴＶＡ−Ｐ１と温度測定情報ＴＶ−Ｐ１それぞれとの差分を算出する。さらに、熱源位置推定部１０３は、温度平均値ＴＶＡ−Ｐ２と温度測定情報ＴＶ−Ｐ２それぞれとの差分を算出する。
図１６は、熱源位置推定部１０３が算出した、温度平均値ＴＶＡと温度測定情報ＴＶとの差分と、温度平均値ＴＶＡ−Ｐ１と温度測定情報ＴＶ−Ｐ１との差分と、温度平均値ＴＶＡ−Ｐ２と温度測定情報ＴＶ−Ｐ２との差分とを、温度測定部２０３毎にグラフにしたものである。
【００５８】
具体的には、Ｗ１１は、温度平均値ＴＶＡと温度測定情報ＴＶ−１との差分を起点として、温度平均値ＴＶＡ−Ｐ１と温度測定情報ＴＶ−Ｐ１−１との差分を中間にもち、温度平均値ＴＶＡ−Ｐ２と温度測定情報ＴＶ−Ｐ２−１との差分を終点とする波形である。Ｗ１２は、温度平均値ＴＶＡと温度測定情報ＴＶ−２との差分を起点として、温度平均値ＴＶＡ−Ｐ１と温度測定情報ＴＶ−Ｐ１−２との差分を中間にもち、温度平均値ＴＶＡ−Ｐ２と温度測定情報ＴＶ−Ｐ２−２との差分を終点とする波形である。Ｗ１３は、温度平均値ＴＶＡと温度測定情報ＴＶ−３との差分を起点として、温度平均値ＴＶＡ−Ｐ１と温度測定情報ＴＶ−Ｐ１−３との差分を中間にもち、温度平均値ＴＶＡ−Ｐ２と温度測定情報ＴＶ−Ｐ２−３との差分を終点とする波形である。Ｗ１４は、温度平均値ＴＶＡと温度測定情報ＴＶ−４との差分を起点として、温度平均値ＴＶＡ−Ｐ１と温度測定情報ＴＶ−Ｐ１−４との差分を中間にもち、温度平均値ＴＶＡ−Ｐ２と温度測定情報ＴＶ−Ｐ２−４との差分を終点とする波形である。Ｗ１５は、温度平均値ＴＶＡと温度測定情報ＴＶ−５との差分を起点として、温度平均値ＴＶＡ−Ｐ１と温度測定情報ＴＶ−Ｐ１−５との差分を中間にもち、温度平均値ＴＶＡ−Ｐ２と温度測定情報ＴＶ−Ｐ２−５との差分を終点とする波形である。Ｗ１６は、温度平均値ＴＶＡと温度測定情報ＴＶ−６との差分を起点として、温度平均値ＴＶＡ−Ｐ１と温度測定情報ＴＶ−Ｐ１−６との差分を中間にもち、温度平均値ＴＶＡ−Ｐ２と温度測定情報ＴＶ−Ｐ２−６との差分を終点とする波形である。Ｗ１７は、温度平均値ＴＶＡと温度測定情報ＴＶ−７との差分を起点として、温度平均値ＴＶＡ−Ｐ１と温度測定情報ＴＶ−Ｐ１−７との差分を中間にもち、温度平均値ＴＶＡ−Ｐ２と温度測定情報ＴＶ−Ｐ２−７との差分を終点とする波形である。Ｗ１８は、温度平均値ＴＶＡと温度測定情報ＴＶ−８との差分を起点として、温度平均値ＴＶＡ−Ｐ１と温度測定情報ＴＶ−Ｐ１−８との差分を中間にもち、温度平均値ＴＶＡ−Ｐ２と温度測定情報ＴＶ−Ｐ２−８との差分を終点とする波形である。
【００５９】
より具体的には、Ｗ１１は、温度平均値ＴＶＡと温度測定情報ＴＶ−１との差分が”１５．１２５”［℃］で、温度平均値ＴＶＡ−Ｐ１と温度測定情報ＴＶ−Ｐ１−１との差分が”５．５”［℃］で、温度平均値ＴＶＡ−Ｐ２と温度測定情報ＴＶ−Ｐ２−１との差分が”１０．７５”［℃］である。Ｗ１２からＷ１８は、温度平均値ＴＶＡと温度測定情報ＴＶとの差分が０［℃］以下で、温度平均値ＴＶＡ−Ｐ１と温度測定情報ＴＶ−Ｐ１との差分が０［℃］以下で、温度平均値ＴＶＡ−Ｐ２と温度測定情報ＴＶ−Ｐ２−１との差分が０［℃］以下である。
【００６０】
次に、熱源位置推定部１０３は、熱源２０７が近傍に存在すると推定した温度測定部２０３−１について、温度平均値ＴＶＡ−Ｐ１と温度測定情報ＴＶ−Ｐ１−１との差分と、温度平均値ＴＶＡ−Ｐ２と温度測定情報ＴＶ−Ｐ２−１との差分と、の比較を行う。
熱源位置推定部１０３は、温度平均値ＴＶＡ−Ｐ１と温度測定情報ＴＶ−Ｐ１−１との差分の方が、より大きな温度低下を示していることから、熱源２０７は、温度測定部２０３−１近傍のペデスタルの内部空間ＳＰの側面部寄りに存在すると推定する。
よって、熱源位置推定部１０３は、熱源２０７が、温度測定部２０３−１の位置情報ＳＳＰ−１近傍のペデスタルの内部空間ＳＰの側面部寄りに１つ存在すると推定し、熱源位置情報ＨＳＰを出力する。
【００６１】
［冷却系がある場合の演算装置１０の動作の具体例２］
次に、図１７から図１９を参照して、本実施形態における演算装置１０の動作の一例について説明する。図１７は、本実施形態における熱源２０７の位置と温度測定部２０３の位置の一例を示す図である。図１８は、本実施形態における記憶部１０１に記憶されている温度測定情報ＴＶ、温度測定情報ＴＶ−Ｐ１及び温度測定情報ＴＶ−Ｐ２の一例を示す表である。図１９は、本実施形態における記憶部１０１に記憶されている温度測定情報ＴＶと温度平均値ＴＶＡとの差分、温度測定情報ＴＶ−Ｐ１と温度平均値ＴＶＡ−Ｐ１との差分、及び温度測定情報ＴＶ−Ｐ２と温度平均値ＴＶＡ−Ｐ２との差分の一例を示すグラフである。
この一例では、熱源２０７がペデスタルの内部空間ＳＰの、温度測定部２０３−１近傍かつ中心部に１つ存在する。
【００６２】
記憶部１０１には、図１８に示すような温度測定情報ＴＶが温度測定部２０３毎に記憶されている。
具体的には、記憶部１０１には、温度測定部２０３−１が測定した結果である”４５”［℃］が、温度測定情報ＴＶ−１として記憶されている。また、記憶部１０１には、温度測定部２０３−２が測定した結果である”２５”［℃］が温度測定情報ＴＶ−２として、温度測定部２０３−３が測定した結果である”２５”［℃］が温度測定情報ＴＶ−３として、温度測定部２０３−４が測定した結果である”２３”［℃］が温度測定情報ＴＶ−４として、温度測定部２０３−５が測定した結果である”２４”［℃］が温度測定情報ＴＶ−５として、温度測定部２０３−６が測定した結果である”２５”［℃］が温度測定情報ＴＶ−６として、温度測定部２０３−７が測定した結果である”２４”［℃］が温度測定情報ＴＶ−７として、温度測定部２０３−８が測定した結果である”２５”［℃］が温度測定情報ＴＶ−８として、それぞれ記憶されている。
また、記憶部１０１には、温度測定情報ＴＶの平均値である”２７”［℃］が、温度平均値ＴＶＡとして、記憶されている。
【００６３】
さらに、記憶部１０１には、給水系ポンプ２０４−１からの冷却水供給動作後に温度測定部２０３がそれぞれ測定した温度測定情報ＴＶ−Ｐ１が、温度測定部２０３毎にそれぞれ記憶されている。
具体的には、記憶部１０１には、温度測定部２０３−１が測定した結果である”４０”［℃］ が、温度測定情報ＴＶ−Ｐ１−１として記憶されている。また、記憶部１０１には、温度測定部２０３−２が測定した結果である”２４”［℃］が温度測定情報ＴＶ−Ｐ１−２として、温度測定部２０３−３が測定した結果である”２４”［℃］が温度測定情報ＴＶ−Ｐ１−３として、温度測定部２０３−４が測定した結果である”２２”［℃］が温度測定情報ＴＶ−Ｐ１−４として、温度測定部２０３−５が測定した結果である”２４”［℃］が温度測定情報ＴＶ−Ｐ１−５として、温度測定部２０３−６が測定した結果である”２４”［℃］が温度測定情報ＴＶ−Ｐ１−６として、温度測定部２０３−７が測定した結果である”２３”［℃］が温度測定情報ＴＶ−Ｐ１−７として、温度測定部２０３−８が測定した結果である”２４”［℃］が温度測定情報ＴＶ−Ｐ１−８として、それぞれ記憶されている。
また、記憶部１０１には、温度測定情報ＴＶ−Ｐ１の平均値である”２５．６２５”［℃］が、温度平均値ＴＶＡ−Ｐ１として、記憶されている。
【００６４】
さらに、記憶部１０１には、炉心スプレイ系ポンプ２０４−２からの冷却水供給動作後に、温度測定部２０３がそれぞれ測定した温度測定情報ＴＶ−Ｐ２が、温度測定部２０３毎にそれぞれ記憶されている。
具体的には、記憶部１０１には、温度測定部２０３−１が測定した結果である”３０．５”［℃］が、温度測定情報ＴＶ−Ｐ２−１として記憶されている。また、記憶部１０１には、温度測定部２０３−２が測定した結果である”２４．９”［℃］が温度測定情報ＴＶ−Ｐ２−２として、温度測定部２０３−３が測定した結果である”２４”［℃］が温度測定情報ＴＶ−Ｐ２−３として、温度測定部２０３−４が測定した結果である”２３”［℃］が温度測定情報ＴＶ−Ｐ２−４として、温度測定部２０３−５が測定した結果である”２４”［℃］が温度測定情報ＴＶ−Ｐ２−５として、温度測定部２０３−６が測定した結果である”２５”［℃］が温度測定情報ＴＶ−Ｐ２−６として、温度測定部２０３−７が測定した結果である”２４”［℃］が温度測定情報ＴＶ−Ｐ２−７として、温度測定部２０３−８が測定した結果である”２５”［℃］が温度測定情報ＴＶ−Ｐ２−８として、それぞれ記憶されている。
また、記憶部１０１には、温度測定情報ＴＶ−Ｐ２の平均値である”２５．０５”［℃］が、温度平均値ＴＶＡ−Ｐ２として、記憶されている。
【００６５】
熱源位置推定部１０３は、温度平均値ＴＶＡと温度測定情報ＴＶそれぞれとの差分を算出する。熱源位置推定部１０３は、温度平均値ＴＶＡよりも高い値を示した温度測定情報ＴＶ−１を測定した温度測定部２０３−１近傍に、熱源２０７が存在すると推定する。
次に、熱源位置推定部１０３は、温度平均値ＴＶＡ−Ｐ１と温度測定情報ＴＶ−Ｐ１それぞれとの差分を算出する。さらに、熱源位置推定部１０３は、温度平均値ＴＶＡ−Ｐ２と温度測定情報ＴＶ−Ｐ２それぞれとの差分を算出する。
図１９は、熱源位置推定部１０３が算出した、温度平均値ＴＶＡと温度測定情報ＴＶとの差分と、温度平均値ＴＶＡ−Ｐ１と温度測定情報ＴＶ−Ｐ１との差分と、温度平均値ＴＶＡ−Ｐ２と温度測定情報ＴＶ−Ｐ２との差分とを、温度測定部２０３毎にグラフにしたものである。
【００６６】
具体的には、Ｗ２１は、温度平均値ＴＶＡと温度測定情報ＴＶ−１との差分を起点として、温度平均値ＴＶＡ−Ｐ１と温度測定情報ＴＶ−Ｐ１−１との差分を中間にもち、温度平均値ＴＶＡ−Ｐ２と温度測定情報ＴＶ−Ｐ２−１との差分を終点とする波形である。Ｗ２２は、温度平均値ＴＶＡと温度測定情報ＴＶ−２との差分を起点として、温度平均値ＴＶＡ−Ｐ１と温度測定情報ＴＶ−Ｐ１−２との差分を中間にもち、温度平均値ＴＶＡ−Ｐ２と温度測定情報ＴＶ−Ｐ２−２との差分を終点とする波形である。Ｗ２３は、温度平均値ＴＶＡと温度測定情報ＴＶ−３との差分を起点として、温度平均値ＴＶＡ−Ｐ１と温度測定情報ＴＶ−Ｐ１−３との差分を中間にもち、温度平均値ＴＶＡ−Ｐ２と温度測定情報ＴＶ−Ｐ２−３との差分を終点とする波形である。Ｗ２４は、温度平均値ＴＶＡと温度測定情報ＴＶ−４との差分を起点として、温度平均値ＴＶＡ−Ｐ１と温度測定情報ＴＶ−Ｐ１−４との差分を中間にもち、温度平均値ＴＶＡ−Ｐ２と温度測定情報ＴＶ−Ｐ２−４との差分を終点とする波形である。Ｗ２５は、温度平均値ＴＶＡと温度測定情報ＴＶ−５との差分を起点として、温度平均値ＴＶＡ−Ｐ１と温度測定情報ＴＶ−Ｐ１−５との差分を中間にもち、温度平均値ＴＶＡ−Ｐ２と温度測定情報ＴＶ−Ｐ２−５との差分を終点とする波形である。Ｗ２６は、温度平均値ＴＶＡと温度測定情報ＴＶ−６との差分を起点として、温度平均値ＴＶＡ−Ｐ１と温度測定情報ＴＶ−Ｐ１−６との差分を中間にもち、温度平均値ＴＶＡ−Ｐ２と温度測定情報ＴＶ−Ｐ２−６との差分を終点とする波形である。Ｗ２７は、温度平均値ＴＶＡと温度測定情報ＴＶ−７との差分を起点として、温度平均値ＴＶＡ−Ｐ１と温度測定情報ＴＶ−Ｐ１−７との差分を中間にもち、温度平均値ＴＶＡ−Ｐ２と温度測定情報ＴＶ−Ｐ２−７との差分を終点とする波形である。Ｗ２８は、温度平均値ＴＶＡと温度測定情報ＴＶ−８との差分を起点として、温度平均値ＴＶＡ−Ｐ１と温度測定情報ＴＶ−Ｐ１−８との差分を中間にもち、温度平均値ＴＶＡ−Ｐ２と温度測定情報ＴＶ−Ｐ２−８との差分を終点とする波形である。
【００６７】
より具体的には、Ｗ２１は、温度平均値ＴＶＡと温度測定情報ＴＶ−１との差分が”１８”［℃］で、温度平均値ＴＶＡ−Ｐ１と温度測定情報ＴＶ−Ｐ１−１との差分が”１４．３７５”［℃］で、温度平均値ＴＶＡ−Ｐ２と温度測定情報ＴＶ−Ｐ２−１との差分が”５．４５”［℃］である。Ｗ２２からＷ２８は、温度平均値ＴＶＡと温度測定情報ＴＶとの差分が０［℃］以下で、温度平均値ＴＶＡ−Ｐ１と温度測定情報ＴＶ−Ｐ１との差分が０［℃］以下で、温度平均値ＴＶＡ−Ｐ２と温度測定情報ＴＶ−Ｐ２−１との差分が０［℃］以下である。
【００６８】
次に、熱源位置推定部１０３は、熱源２０７が近傍に存在すると推定した温度測定部２０３−１について、温度平均値ＴＶＡ−Ｐ１と温度測定情報ＴＶ−Ｐ１−１との差分と、温度平均値ＴＶＡ−Ｐ２と温度測定情報ＴＶ−Ｐ２−１との差分と、の比較を行う。
熱源位置推定部１０３は、温度平均値ＴＶＡ−Ｐ２と温度測定情報ＴＶ−Ｐ２−１との差分の方が、より大きな温度低下を示していることから、熱源２０７は、温度測定部２０３−１近傍のペデスタルの内部空間ＳＰの中心部寄りに存在すると推定する。
よって、熱源位置推定部１０３は、熱源２０７が、温度測定部２０３−１の位置情報ＳＳＰ−１近傍のペデスタルの内部空間ＳＰの中心部寄りに１つ存在すると推定し、熱源位置情報ＨＳＰを出力する。
【００６９】
［冷却系がある場合の演算装置１０の動作の具体例３］
次に、図２０から図２２を参照して、本実施形態における演算装置１０の動作の一例について説明する。図２０は、本実施形態における熱源２０７の位置と温度測定部２０３の位置の一例を示す図である。図２１は、本実施形態における記憶部１０１に記憶されている温度測定情報ＴＶ、温度測定情報ＴＶ−Ｐ１及び温度測定情報ＴＶ−Ｐ２の一例を示す表である。図２２は、本実施形態における記憶部１０１に記憶されている温度測定情報ＴＶと温度平均値ＴＶＡとの差分、温度測定情報ＴＶ−Ｐ１と温度平均値ＴＶＡ−Ｐ１との差分、及び温度測定情報ＴＶ−Ｐ２と温度平均値ＴＶＡ−Ｐ２との差分の一例を示すグラフである。
この一例では、熱源２０７がペデスタルの内部空間ＳＰの、温度測定部２０３−１近傍かつ中心部と、温度測定部２０３−２近傍かつ側面部と、温度測定部２０３−３近傍かつ側面部とに存在する。
【００７０】
記憶部１０１には、図２０に示すような温度測定情報ＴＶが温度測定部２０３毎に記憶されている。
具体的には、記憶部１０１には、温度測定部２０３−１が測定した結果である”３９”［℃］ が、温度測定情報ＴＶ−１として記憶されている。また、記憶部１０１には、温度測定部２０３−２が測定した結果である”４２”［℃］が温度測定情報ＴＶ−２として、温度測定部２０３−３が測定した結果である”４５”［℃］が温度測定情報ＴＶ−３として、温度測定部２０３−４が測定した結果である”２３”［℃］が温度測定情報ＴＶ−４として、温度測定部２０３−５が測定した結果である”２４”［℃］が温度測定情報ＴＶ−５として、温度測定部２０３−６が測定した結果である”２５”［℃］が温度測定情報ＴＶ−６として、温度測定部２０３−７が測定した結果である”２４”［℃］が温度測定情報ＴＶ−７として、温度測定部２０３−８が測定した結果である”２５”［℃］が温度測定情報ＴＶ−８として、それぞれ記憶されている。
また、記憶部１０１には、温度測定情報ＴＶの平均値である”３０．８７５”［℃］、が温度平均値ＴＶＡとして、記憶されている。
【００７１】
さらに、記憶部１０１には、給水系ポンプ２０４−１からの冷却水供給動作後に、温度測定部２０３が持つ温度情報ＴＶを、温度測定情報ＴＶ−Ｐ１が温度測定部２０３毎に記憶されている。
具体的には、記憶部１０１には、温度測定部２０３−１が測定した結果である”３４”［℃］ が、温度測定情報ＴＶ−Ｐ１−１として記憶されている。また、記憶部１０１には、温度測定部２０３−２が測定した結果である”２６”［℃］が温度測定情報ＴＶ−Ｐ１−２として、温度測定部２０３−３が測定した結果である”２７”［℃］が温度測定情報ＴＶ−Ｐ１−３として、温度測定部２０３−４が測定した結果である”２２”［℃］が温度測定情報ＴＶ−Ｐ１−４として、温度測定部２０３−５が測定した結果である”２４”［℃］が温度測定情報ＴＶ−Ｐ１−５として、温度測定部２０３−６が測定した結果である”２５”［℃］が温度測定情報ＴＶ−Ｐ１−６として、温度測定部２０３−７が測定した結果である”２３”［℃］が温度測定情報ＴＶ−Ｐ１−７として、温度測定部２０３−８が測定した結果である”２４”［℃］が温度測定情報ＴＶ−Ｐ１−８として、それぞれ記憶されている。
また、記憶部１０１には、温度測定情報ＴＶ−Ｐ１の平均値である”２５．６２５”［℃］が、温度平均値ＴＶＡ−Ｐ１として、記憶されている。
【００７２】
さらに、記憶部１０１には、炉心スプレイ系ポンプ２０４−２からの冷却水供給動作後に、温度測定部２０３が持つ温度情報ＴＶを、温度測定情報ＴＶ−Ｐ２が温度測定部２０３毎に記憶されている。
具体的には、記憶部１０１には、温度測定部２０３−１が測定した結果である”２７”［℃］ が、温度測定情報ＴＶ−Ｐ２−１として記憶されている。また、記憶部１０１には、温度測定部２０３−２が測定した結果である”３２”［℃］が温度測定情報ＴＶ−Ｐ２−２として、温度測定部２０３−３が測定した結果である”３５”［℃］が温度測定情報ＴＶ−Ｐ２−３として、温度測定部２０３−４が測定した結果である”２３”［℃］が温度測定情報ＴＶ−Ｐ２−４として、温度測定部２０３−５が測定した結果である”２４”［℃］が温度測定情報ＴＶ−Ｐ２−５として、温度測定部２０３−６が測定した結果である”２５”［℃］が温度測定情報ＴＶ−Ｐ２−６として、温度測定部２０３−７が測定した結果である”２４”［℃］が温度測定情報ＴＶ−Ｐ２−７として、温度測定部２０３−８が測定した結果である”２５”［℃］が温度測定情報ＴＶ−Ｐ２−８として、それぞれ記憶されている。
また、記憶部１０１には、温度測定情報ＴＶ−Ｐ２の平均値である”２６．８７５”［℃］が、温度平均値ＴＶＡ−Ｐ２として、記憶されている。
【００７３】
熱源位置推定部１０３は、温度平均値ＴＶＡと、温度測定情報ＴＶそれぞれとの差分を算出する。熱源位置推定部１０３は、温度平均値ＴＶＡよりも高い値を示した温度測定情報ＴＶ−１を測定した温度測定部２０３−１近傍と、温度平均値ＴＶＡよりも高い値を示した温度測定情報ＴＶ−２を測定した温度測定部２０３−２近傍と、温度平均値ＴＶＡよりも高い値を示した温度測定情報ＴＶ−３を測定した温度測定部２０３−３近傍とに、それぞれ熱源２０７が存在すると推定する。
【００７４】
次に、熱源位置推定部１０３は、温度平均値ＴＶＡ−Ｐ１と温度測定情報ＴＶ−Ｐ１それぞれとの差分を算出する。さらに、熱源位置推定部１０３は、温度平均値ＴＶＡ−Ｐ２と温度測定情報ＴＶ−Ｐ２それぞれとの差分を算出する。
図２２は、熱源位置推定部１０３が算出した、温度平均値ＴＶＡと温度測定情報ＴＶとの差分と、温度平均値ＴＶＡ−Ｐ１と温度測定情報ＴＶ−Ｐ１との差分と、温度平均値ＴＶＡ−Ｐ２と温度測定情報ＴＶ−Ｐ２との差分とを、温度測定部２０３毎にグラフにしたものである。
【００７５】
具体的には、Ｗ３１は、温度平均値ＴＶＡと温度測定情報ＴＶ−１との差分を起点として、温度平均値ＴＶＡ−Ｐ１と温度測定情報ＴＶ−Ｐ１−１との差分を中間にもち、温度平均値ＴＶＡ−Ｐ２と温度測定情報ＴＶ−Ｐ２−１との差分を終点とする波形である。Ｗ３２は、温度平均値ＴＶＡと温度測定情報ＴＶ−２との差分を起点として、温度平均値ＴＶＡ−Ｐ１と温度測定情報ＴＶ−Ｐ１−２との差分を中間にもち、温度平均値ＴＶＡ−Ｐ２と温度測定情報ＴＶ−Ｐ２−２との差分を終点とする波形である。Ｗ３３は、温度平均値ＴＶＡと温度測定情報ＴＶ−３との差分を起点として、温度平均値ＴＶＡ−Ｐ１と温度測定情報ＴＶ−Ｐ１−３との差分を中間にもち、温度平均値ＴＶＡ−Ｐ２と温度測定情報ＴＶ−Ｐ２−３との差分を終点とする波形である。Ｗ３４は、温度平均値ＴＶＡと温度測定情報ＴＶ−４との差分を起点として、温度平均値ＴＶＡ−Ｐ１と温度測定情報ＴＶ−Ｐ１−４との差分を中間にもち、温度平均値ＴＶＡ−Ｐ２と温度測定情報ＴＶ−Ｐ２−４との差分を終点とする波形である。Ｗ３５は、温度平均値ＴＶＡと温度測定情報ＴＶ−５との差分を起点として、温度平均値ＴＶＡ−Ｐ１と温度測定情報ＴＶ−Ｐ１−５との差分を中間にもち、温度平均値ＴＶＡ−Ｐ２と温度測定情報ＴＶ−Ｐ２−５との差分を終点とする波形である。Ｗ３６は、温度平均値ＴＶＡと温度測定情報ＴＶ−６との差分を起点として、温度平均値ＴＶＡ−Ｐ１と温度測定情報ＴＶ−Ｐ１−６との差分を中間にもち、温度平均値ＴＶＡ−Ｐ２と温度測定情報ＴＶ−Ｐ２−６との差分を終点とする波形である。Ｗ３７は、温度平均値ＴＶＡと温度測定情報ＴＶ−７との差分を起点として、温度平均値ＴＶＡ−Ｐ１と温度測定情報ＴＶ−Ｐ１−７との差分を中間にもち、温度平均値ＴＶＡ−Ｐ２と温度測定情報ＴＶ−Ｐ２−７との差分を終点とする波形である。Ｗ３８は、温度平均値ＴＶＡと温度測定情報ＴＶ−８との差分を起点として、温度平均値ＴＶＡ−Ｐ１と温度測定情報ＴＶ−Ｐ１−８との差分を中間にもち、温度平均値ＴＶＡ−Ｐ２と温度測定情報ＴＶ−Ｐ２−８との差分を終点とする波形である。
【００７６】
より具体的には、Ｗ３１は、温度平均値ＴＶＡと温度測定情報ＴＶ−１との差分が”８．１２５”［℃］で、温度平均値ＴＶＡ−Ｐ１と温度測定情報ＴＶ−Ｐ１−１との差分が”８．３７５”［℃］で、温度平均値ＴＶＡ−Ｐ２と温度測定情報ＴＶ−Ｐ２−１との差分が”０．１２５”［℃］である。Ｗ３２は、温度平均値ＴＶＡと温度測定情報ＴＶ−２との差分が”１１．１２５”［℃］で、温度平均値ＴＶＡ−Ｐ１と温度測定情報ＴＶ−Ｐ１−２との差分が”０．３７５”［℃］で、温度平均値ＴＶＡ−Ｐ２と温度測定情報ＴＶ−Ｐ２−２との差分が”５．１２５”［℃］である。Ｗ３３は、温度平均値ＴＶＡと温度測定情報ＴＶ−３との差分が”１４．１２５”［℃］で、温度平均値ＴＶＡ−Ｐ１と温度測定情報ＴＶ−Ｐ１−３との差分が”１．３７５”［℃］で、温度平均値ＴＶＡ−Ｐ２と温度測定情報ＴＶ−Ｐ２−３との差分が”８．１２５”［℃］である。Ｗ３４からＷ３８は、温度平均値ＴＶＡと温度測定情報ＴＶとの差分が０［℃］以下で、温度平均値ＴＶＡ−Ｐ１と温度測定情報ＴＶ−Ｐ１との差分が０［℃］以下で、温度平均値ＴＶＡ−Ｐ２と温度測定情報ＴＶ−Ｐ２−１との差分が０［℃］以下である。
【００７７】
次に、熱源位置推定部１０３は、熱源２０７が近傍に存在すると推定した温度測定部２０３−１について、温度平均値ＴＶＡ−Ｐ１と温度測定情報ＴＶ−Ｐ１−１との差分と、温度平均値ＴＶＡ−Ｐ２と温度測定情報ＴＶ−Ｐ２−１との差分と、の比較を行う。
熱源位置推定部１０３は、温度平均値ＴＶＡ−Ｐ２と温度測定情報ＴＶ−Ｐ２−１との差分の方が、より大きな温度低下を示していることから、熱源２０７は、温度測定部２０３−１近傍のペデスタルの内部空間ＳＰの中心部寄りに存在すると推定する。
さらに、熱源位置推定部１０３は、熱源２０７が近傍に存在すると推定した温度測定部２０３−２について、温度平均値ＴＶＡ−Ｐ１と温度測定情報ＴＶ−Ｐ１−２との差分と、温度平均値ＴＶＡ−Ｐ２と温度測定情報ＴＶ−Ｐ２−２との差分と、の比較を行う。
熱源位置推定部１０３は、温度平均値ＴＶＡ−Ｐ１と温度測定情報ＴＶ−Ｐ１−２との差分の方が、より大きな温度低下を示していることから、熱源２０７は、温度測定部２０３−２近傍のペデスタルの内部空間ＳＰの側面部寄りに存在すると推定する。
また、熱源位置推定部１０３は、熱源２０７が近傍に存在すると推定した温度測定部２０３−３について、温度平均値ＴＶＡ−Ｐ１と温度測定情報ＴＶ−Ｐ１−３との差分と、温度平均値ＴＶＡ−Ｐ２と温度測定情報ＴＶ−Ｐ２−３との差分と、の比較を行う。
熱源位置推定部１０３は、温度平均値ＴＶＡ−Ｐ１と温度測定情報ＴＶ−Ｐ１−３との差分の方が、より大きな温度低下を示していることから、熱源２０７は、温度測定部２０３−３近傍のペデスタルの内部空間ＳＰの側面部寄りに存在すると推定する。
【００７８】
よって、熱源位置推定部１０３は、熱源２０７が、温度測定部２０３−１の位置情報ＳＳＰ−１近傍のペデスタルの内部空間ＳＰの中心部寄りと、温度測定部２０３−２の位置情報ＳＳＰ−２近傍のペデスタルの内部空間ＳＰの側面部寄りと、温度測定部２０３−３の位置情報ＳＳＰ−３近傍のペデスタルの内部空間ＳＰの側面部寄りとの３か所に存在すると推定し、熱源位置情報ＨＳＰを出力する。
【００７９】
以上、説明したように、本実施形態の原子炉格納容器内熱源位置推定装置は、原子力発電システムの接近困難な熱源付近に元々備わっている複数の温度測定部を利用して、温度測定部それぞれの温度情報を取得する。また、本実施形態の原子炉格納容器内熱源位置推定装置は、得られた温度測定部それぞれの温度情報から、温度平均値を演算する。本実施形態の原子炉格納容器内熱源位置推定装置は、温度測定部それぞれの温度情報と、温度平均値とに基づき、ペデスタル内部空間に存在する熱源の推定位置を演算できる。さらに、本実施形態の原子炉格納容器内熱源位置推定装置は、原子力発電システムが、冷却水供給部とポンプとを備えることにより、ペデスタルの内部空間における熱源の径方向の位置も推定することが可能となる。
【００８０】
原子力発電システム１は、給水系２０２−１と、炉心スプレイ系２０２−２とを備える。また、給水系２０２−１は、給水系ポンプ２０４−１から供給された冷却水を、原子炉圧力容器２０１の上部外周部から放出することで、熱源２０７の冷却を行う。さらに、炉心スプレイ系２０２−２は、炉心スプレイ系ポンプ２０４−２から供給された冷却水を、原子炉圧力容器２０１の上部中心部から放出することで、熱源２０７の冷却を行う。また、原子力発電システム１は、複数の温度測定部２０３を備える。この複数の温度測定部２０３は、原子炉格納容器２０の内部に配置される。複数の温度測定部２０３は、給水系ポンプ２０４−１の動作前と動作後とにおいて、配置された位置の温度をそれぞれ測定する。さらに、複数の温度測定部２０３は、炉心スプレイ系ポンプ２０４−２の動作前と動作後とにおいて、配置された位置の温度をそれぞれ測定する。
【００８１】
演算装置１０は、温度情報算出部１０２を備える。温度情報算出部１０２は、温度測定部２０３がそれぞれ測定した温度測定情報ＴＶに基づき、温度平均値ＴＶＡを算出する。また、演算装置１０は、熱源位置推定部１０３を備える。
熱源位置推定部１０３は、給水系ポンプ２０４−１の動作後に得られた温度測定情報ＴＶ−Ｐ１と、温度測定情報ＴＶ−Ｐ１の平均値である温度平均値ＴＶＡ−Ｐ１と、炉心スプレイ系ポンプ２０４−２の動作後に得られた温度測定情報ＴＶ−Ｐ２と、温度測定情報ＴＶ−Ｐ２の平均値である温度平均値ＴＶＡ−Ｐ２とに基づき、熱源２０７のペデスタルの内部空間ＳＰにおける径方向の位置をさらに推定する。このように構成することにより、従来技術では実現困難であった人が近付くことが困難な原子炉格納容器内の熱源位置を精度よく推定するための原子炉格納容器内熱源位置推定装置を提供することができる。
つまり、熱源位置測定用のカメラのような従来技術においては、可搬タイプであって、赤外線を用いて熱源の熱量を測定するものであった。このため、このような従来技術のカメラによると、測定のために人が熱源付近へ近付いて作業する必要があった。本実施形態の原子炉格納容器内熱源位置推定装置によれば、従来技術では実現不可能であった、人やロボットが近付くことが困難な原子炉格納容器内に存在する熱源の位置を推定することができる。
【００８２】
以上、本発明の実施形態を、図面を参照して詳述してきたが、具体的な構成はこの実施形態に限られるものではなく、本発明の趣旨を逸脱しない範囲で適宜変更を加えることができる。
【００８３】
なお、上述の装置は内部にコンピュータを有している。そして、上述した装置の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００８４】
また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【符号の説明】
【００８５】
１…原子力発電システム、１０…演算装置、１０１…記憶部、１０２…温度情報算出部、１０３…熱源位置推定部、２０…原子炉格納容器、２０１…原子炉圧力容器、２０２…冷却水供給部、２０２−１…給水系、２０２−２…炉心スプレイ系、２０３，２０３−１，２０３−２，２０３−３，２０３−４…温度測定部、２０４…ポンプ、２０４−１…給水系ポンプ、２０４−２…炉心スプレイ系ポンプ、２０５…制御棒駆動系配管、２０６…ペデスタル、２０７…熱源、３０…表示装置、ＳＰ…ペデスタルの内部空間
【図１】
2017129550.tif 000003
【図２】
2017129550.tif 000004
【図３】
2017129550.tif 000005
【図４】
2017129550.tif 000006
【図５】
2017129550.tif 000007
【図６】
2017129550.tif 000008
【図７】
2017129550.tif 000009
【図８】
2017129550.tif 000010
【図９】
2017129550.tif 000011
【図１０】
2017129550.tif 000012
【図１１】
2017129550.tif 000013
【図１２】
2017129550.tif 000014
【図１３】
2017129550.tif 000015
【図１４】
2017129550.tif 000016
【図１５】
2017129550.tif 000017
【図１６】
2017129550.tif 000018
【図１７】
2017129550.tif 000019
【図１８】
2017129550.tif 000020
【図１９】
2017129550.tif 000021
【図２０】
2017129550.tif 000022
【図２１】
2017129550.tif 000023
【図２２】
2017129550.tif 000024